(57)【要約】      （修正有）【課題】ブラシ柄の両側に掛架部等の突起部を設けることなく、簡単な構造でブラシ先端が収納容器の底部に溜まった汚水に接触することがない、衛生的なブラシとブラシ収納容器を提供する。【解決手段】収納容器２は、洗浄用具としてのトイレブラシ１を起立した状態で載置可能な収納容器２の底面２１に、トイレブラシ１の頂部４１を支持するブラシ支持部２２を突設して、ブラシ部４のブラシ４２の無い頂部４１を支持することにより、トイレブラシ１を収納容器２の底面２１から離間させて保持するものなので、衛生的であり、且つブラシ４２にストレスがかかることなく変形などがない良好な状態を維持できる。【選択図】図４
2014064759.tif 000002
【特許請求の範囲】
【請求項１】
柄付き清掃ブラシと、該柄付き清掃ブラシの収納容器を備えており、
前記柄付き清掃ブラシのブラシ部に、ブラシを植毛しない部分を設けるとともに、
前記収納容器の底面に、前記柄付き清掃ブラシのブラシ部頂部を前記収納容器の底面から離間した状態に支持するブラシ支持部を突設したことを特徴とする清掃用具。
【請求項２】
前記収納容器のブラシ支持部は、略円錐形状であることを特徴とする請求項１に記載の清掃用具。
【請求項３】
前記ブラシ部頂部に前記ブラシ支持部が係入する穴部を設けたことを特徴とする請求項１又は請求項２に記載の清掃用具。
【請求項４】
前記穴部は蒸気噴出口であることを特徴とする請求項３に記載の清掃用具。
【請求項５】
前記収納容器の内壁部に、前記柄付き清掃ブラシの柄部であって、ブラシを植毛しない部分の延長部を支持する柄部支持部を設けたことを特徴とする請求項1〜４のいずれかに記載の清掃用具。
【請求項６】
前記柄部支持部は、前記柄付き清掃ブラシの柄部の一部が係入する凹み形状であることを特徴とする請求項５に記載の清掃用具。
【発明の詳細な説明】
【技術分野】
【０００１】
本発明は、トイレコーナーなどに備え置く、清掃用柄付きブラシと、その収納容器に関するものである。
【背景技術】
【０００２】
従来からトイレ清掃用具としては、例えば柄付きブラシと有底状に形成したブラシ収納容器とからなり、このブラシが収納容器の底面に接触しない状態で保持することができるブラシ容器が提案されている。
【先行技術文献】
【特許文献】
【０００３】
【特許文献１】特開２００２−２８２１８６号公報
【特許文献２】特開平１１−３１３７８２号公報
【０００４】
特許文献１に記載のブラシ収納容器は、ブラシを収納する容器の底面に設置可能な基台部と、基台部の上面に突設される複数の支持部材とを備え、ブラシの植毛部を、容器の底面から所定距離離間した状態で支持可能に構成したものである。
【０００５】
特許文献２に記載のブラシとブラシ収納容器は、ブラシの先端植毛部が自重により常に屈曲状態に置かれて屈曲してしまったり、容器底部に溜まった汚水に浸された状態に置かれるといった問題を解決するために、ブラシ収納容器の内部一側に、ブラシ先端が容器の底部に接触しない位置にブラシを支持する一対の受掛部を設け、ブラシ柄の両側に突出して設けた掛架部と掛架するように構成したものである。
【発明の概要】
【発明が解決しようとする課題】
【０００６】
特許文献１の形態では、ブラシの植毛部が収納容器の底部からは離間しているものの、ブラシの植毛部を直接、収納容器の底面から突設される複数の支持部材で支持する構成のため、支持部材にブラシの植毛部の汚れが転移することになり不衛生である。また、複数の支持部材によりブラシの植毛部にストレスがかかることになるので、植毛の状態を悪化させてしまい、清掃がし難くなる虞がある。また、特許文献２の形態では、ブラシ柄の両側に掛架部を突出して設けるものなので、掛架部が清掃の際に邪魔になったり、掛架部に埃が溜まりやすいという欠点や、ブラシ柄が作り難いという問題がある。
【０００７】
本発明は、このような点に鑑みなされたもので、ブラシ柄の両側に掛架部等の突起部を設けることなく、簡単な構造でブラシ先端が収納容器の底部に溜まった汚水に接触することがない衛生的なブラシとブラシ収納容器を提供することを目的とする。
【課題を解決するための手段】
【０００８】
請求項１に記載の発明にあたっては、柄付き清掃ブラシと、該柄付き清掃ブラシの収納容器を備えており、前記柄付き清掃ブラシのブラシ部に、ブラシを植毛しない部分を設けるとともに、前記収納容器の底面に、前記柄付き清掃ブラシのブラシ部頂部を前記収納容器の底面から離間した状態に支持するブラシ支持部を突設したことを特徴とするものである。
【０００９】
請求項２に記載の発明にあたっては、前記収納容器のブラシ支持部は、略円錐形状であることを特徴とするものである。
【００１０】
請求項３に記載の発明にあたっては、前記ブラシ部頂部に前記ブラシ支持部が係入する穴部を設けたことを特徴とするものである。
【００１１】
請求項４に記載の発明にあたっては、前記穴部は蒸気噴出口であることを特徴とするものである。
【００１２】
請求項５に記載の発明にあたっては、前記収納容器の内壁部に、前記柄付き清掃ブラシの柄部であって、ブラシを植毛しない部分の延長部を支持する柄部支持部を設けたことを特徴とするものである。
【００１３】
請求項６に記載の発明にあたっては、前記柄部支持部は、前記柄付き清掃ブラシの柄部の一部が係入する凹み形状であることを特徴とするものである。
【発明の効果】
【００１４】
本発明によれば、ブラシ柄の両側に掛架部等の突起部を設けることなく、簡単な構造でブラシ先端が収納容器の底部に溜まった汚水に接触することがない、衛生的で、且つブラシ収納時にブラシの変形が起きないブラシとブラシ収納容器を提供することができる。
【図面の簡単な説明】
【００１５】
【図１】本実施形態の清掃ブラシが収納容器に収容された状態を斜め上方から見た斜視図
【図２】本実施形態の清掃ブラシを植毛部斜め上方から見た斜視図
【図３】本実施形態の柄付き清掃ブラシの収納容器を示したものであり（ａ）は該収納容器を斜め上方から見た斜視図、（ｂ）は（ａ）図のＡ-Ａ断面図
【図４】本実施形態の清掃ブラシが収納容器に収容された状態を示すものであり、（ａ）は正面図、（ｂ）は（ａ）図のＢ-Ｂ断面図
【図５】ブラシをスチームクリーナー本体に接続する方法を説明する側面図
【図６】ブラシがスチームクリーナー本体に接続した状態を示す側面図
【発明を実施するための形態】
【００１６】
以下に本発明の好適な実施の形態について、スチームクリーナー用のトイレブラシと、そのトイレブラシの収納容器を例に図面を参照しながら説明する。なお本実施の形態は一例であり、これに限定されるものではない。
【００１７】
図１は、本発明に係るトイレブラシ１を、その収納容器２に収納した状態を示している。トイレブラシ１は柄部３を備え、柄部３の上端側にはグリップ５、さらにグリップ５の上端にはリング部６が設けられ、柄部３の下端にはブラシ部４が設けられている。
【００１８】
図２に示すように、ブラシ部４の一端は平面部４３（ブラシが植毛されていない部分）を形成し、前記平面部４３と頂部４１を除いてブラシ４２が植毛される。平面部４３より先端側に有するブラシ４２は、便器内部の洗い難い場所を清掃するのに適している。頂部４１には、ブラシ４２は植毛せず蒸気が噴き出す噴出口４４ａを備える。植毛されたブラシ４２は、ブラシ部４の中心軸にある柄部３から外方に向けて放射状に形成されるので、前記頂部４１は略逆円錐状の空間となる。
【００１９】
収納容器２はプラスチック樹脂を射出成形してなるもので、図３に示すように、底面２１の内面側に略円錐形状に形成されたブラシ支持部２２を底面２１と一体で突設させている。図４に示すように、この略円錐形状のブラシ支持部２２が、略逆円錐形状の空間を為す前記ブラシ部４の頂部４１を支持することによりブラシ４２を収納容器２の底面２１から所定距離離間した状態を保持可能としている。したがって、トイレブラシ１のブラシ４２が、収納容器２の底面２１に溜まった汚水に触れることがなく、ブラシ４２の乾きもよく衛生的である。
【００２０】
ブラシ部４の頂部４１だけを植毛しないで、収納容器２のブラシ支持部２２との係合に使用するのは、植毛しない範囲を広くすると、その植毛しない部分の近傍にあるブラシ４２は他のブラシ４２による支えがないために、外力が加わったときに変形が起こりやすくトイレブラシ１の耐久性を落とす原因となるからである。そのために植毛した部分は最小の範囲としている。
【００２１】
図４（ｂ）で示すように、トイレブラシ１の柄部３の内部には蒸気通路７を有しており、スチームクリーナー本体８（図５）から供給された蒸気は、この蒸気通路７を通って、ブラシ部４に向けて蒸気通路７の軸方向に対して直角方向に穿設された噴出口４４ｂ，４４ｃおよび、蒸気通路７の軸方向でブラシ部４の頂部４１に穿設された噴出口４４ａから噴出され、洗浄効果を高める働きをする。噴出口４４ａは、前記ブラシ支持部２２が係入される穴部となる。
【００２２】
収納容器２は、図１、図３、図４に示すように、全体が錐台形状となっており、内部に有底筒形状のトイレブラシ収納部２ａを有している。トイレブラシ収納部２ａの底面には前述したブラシ支持部２２が突設されている。また、トイレブラシ収納部２ａの内壁部２４にはトイレブラシ１の柄部３の一部（ブラシが植毛されていない部分の延長部）を受け、トイレブラシ１を収納容器２に収納した際にトイレブラシ１の起立状態を安定させるための柄部支持部２３が形成されている。
【００２３】
図５に示しているのは上記のように構成されたトイレブラシ１をスチームクリーナー本体８に結合する方法である。リング部６の内面には締め付け用のネジ形状が形成されており、スチームクリーナー本体８に差し込んだ後でトイレブラシ１を回転させることによって完全に固定する。図６はスチームクリーナー本体８から供給された蒸気がトイレブラシ１のブラシ部４から噴き出している状態を示す。
【００２４】
以上説明したように、本実施形態の収納容器２は、洗浄用具としてのトイレブラシ１を起立した状態で載置可能な収納容器２の底板２１に、トイレブラシ１の頂部４１を支持するブラシ支持部２２を突設して、ブラシ部４のブラシ４２が植設されていない頂部４１を支持することにより、トイレブラシ１を収納容器２の底面２１から離間させて保持するものなので、衛生的であり、ブラシ４２にストレスがかかることなく変形などがない良好な状態を維持できる。また、トイレブラシ１の柄部３であって、ブラシが植毛されていない部分の延長部を柄部支持部２３に係入し、トイレブラシ１を収納容器２に立て掛けるため、ブラシが収納容器２の内壁面に接触して変形するようなこともない。
【００２５】
また、本実施の形態においては、スチームクリーナー用のトイレブラシ１と、その収納容器２を例に説明したが、これに限定されることはなく、例えば、トイレブラシにスチームクリーナー用としての蒸気通路７や噴出口４４ａ，４４ｂ，４４ｃが形成されない通常のトイレブラシであってもよい。また、浴槽ブラシ、洗車ブラシ等の柄付き清掃ブラシにも適用できる。
【符号の説明】
【００２６】
１                        トイレブラシ
２                        収納容器
２ａ                      トイレブラシ収納部
２１                      底面
２２                      ブラシ支持部
２３                      柄部支持部
２４                      内壁部
３                        柄部
４                        ブラシ部
４１                      頂部
４２                      ブラシ
４３                      平坦部
４４ａ，４４ｂ，４４ｃ    噴出口
５                        グリップ
６                        リング部
７                        蒸気通路
８                        スチームクリーナー本体
【図１】
2014064759.tif 000003
【図２】
2014064759.tif 000004
【図３】
2014064759.tif 000005
【図４】
2014064759.tif 000006
【図５】
2014064759.tif 000007
【図６】
2014064759.tif 000008